(57)【要約】【課題】運搬等の取り扱い、および積み重ねを容易にし、積み重ね時のデッドスペースを大幅に低減でき、積載効率の向上、販売店等での在庫スペースの軽減を図ることができ、展開も容易な遮光ネットの折り畳み体を提供する。【解決手段】編織物よりなる遮光ネット１として、ネット幅方向の中央部と両側端から１／４幅の個所を長手方向に延びかついずれも表裏一方側において谷折りする折り部１１ａと１１ｂ，１１ｂにして、両側部分を長手方向に沿って観音折りして折り重ね、さらに長手方向に蛇腹折りして折り畳む。【選択図】図５
0003124309.tif 000002
【実用新案登録請求の範囲】
【請求項１】
編織物よりなる遮光ネットの折り畳み体であって、ネット幅方向の複数個所を長い方向に延びる折り部にして両側部分が長手方向に沿って折り重ねられ、さらに長手方向に蛇腹折りされて折り畳まれてなることを特徴とする遮光ネットの折り畳み体。
【請求項２】
編織物よりなる遮光ネットの折り畳み体であって、ネット幅方向の複数個所を長手方向に延びかついずれも表裏一方側において谷折りする折り部にして両側部分が長手方向に沿って折り重ねられ、さらに長手方向に蛇腹折りされて折り畳まれてなることを特徴とする遮光ネットの折り畳み体。
【請求項３】
前記遮光ネットが、幅方向の中央部と両側端から１／４幅の個所をいずれも表裏一方側において谷折りする折り部にして両側部分が観音折りされ、さらに蛇腹折りされて折り畳まれてなる請求項２に記載の遮光ネットの折り畳み体。
【請求項４】
前記遮光ネットが、幅方向の両側端から１／３幅の個所をいずれも表裏一方側において谷折りする折り部にして、両側部分が巻三つ折りされ、さらに蛇腹折りされて折り畳まれてなる請求項２に記載の遮光ネットの折り畳み体。
【請求項５】
経編編成された遮光ネットであって、遮光性のテープ状糸が鎖編列に対し横振り挿入されて編み込まれてなる請求項３又は４に記載の折り畳み体。
【考案の詳細な説明】
【技術分野】
【０００１】
本考案は、主としてハウス栽培等の農業用に使用される編織物よりなる遮光ネットの折り畳み体、特には輸送や保管等の際の取り扱いを容易にするための折り畳み体に関するものである。
【背景技術】
【０００２】
ハウス栽培等の農業用に使用される遮光ネットとしては、例えば、合成樹脂製の遮光性のテープ状糸（フラットヤーン）とフィラメント糸（モノフィラメント）とにより編成したネット、その他の編織物よりなるネットが使用されている（例えば特許文献１）。かかる遮光ネットは、例えば幅が２ｍ、長さが５０ｍにもなる、かなり広幅で長尺のものであり、通常は編織後にロール状に巻取られており、輸送、保管、販売等の取り扱いはロール巻の状態である。
【０００３】
しかし、ロール巻の遮光ネットは、軸心方向の長さが例えば２ｍｍもあって、しかもロール状であるために、嵩高で、運搬等の取り扱いは容易でなく、特に乗用車に積み込んで運搬するのは不可能なものである。また、ロール巻のために、輸送や保管等の際の積み重ねにおいてデッドスペースが多くなり、殊に巻芯を有する場合には重量増になる上に、デッドスペースもさらに増えることになり、輸送時の積載効率も低く、また販売店での在庫スペースも大きくなる。
【０００４】
さらに、ロール巻の遮光ネットの場合、農作物の栽培用ハウス等での展張作業の際に、ロール巻の遮光ネットを引き出せるように支持する器具や装置がないと、ネットの展張作業も行い難くなるといった問題もある。
【特許文献１】実開平６−１９４３９号公報
【考案の開示】
【考案が解決しようとする課題】
【０００５】
本考案は、上記の問題を解決し、嵩が低く、運搬等の取り扱いが容易であり、また輸送や保管時の積み重ねが容易で、かつ積み重ね状態のデッドスペースを大幅に低減でき、積載効率の向上、販売店等での在庫スペースの軽減を図ることができる遮光ネットの折り畳み体を提供するものであり、さらには、展張作業時の展開も容易な遮光ネットの折り畳み体を提供するものである。
【課題を解決するための手段】
【０００６】
上記の課題の解決する本考案は、編織物よりなる遮光ネットの折り畳み体であって、ネット幅方向の複数個所を長手方向に延びる折り部にして両側部分が長手方向に沿って折り重ねられ、さらに長手方向に蛇腹折りされて折り畳まれてなることを特徴とする。
【０００７】
この遮光ネットの折り畳み体であれば、従来のロール巻の遮光ネットに比べて嵩が低く、梱包が容易である上、運搬等の使用までの取り扱い作業も容易になる。特に、折り畳みのために、輸送や保管等のための積み重ねが容易で、積み重ね状態でのデッドスペースを大幅に減少できる。また、栽培用ハウス等での展張作業の際は、蛇腹状に折り畳まれた遮光ネットを、その一端部から引き延ばして幅方向の両側部分を広げることにより展開させることができる。
【０００８】
また、本考案は、編織物よりなる遮光ネットの折り畳み体として、ネット幅方向の複数個所を長手方向に延びかついずれも表裏一方側において谷折りする折り部にして両側部分が長手方向に沿って折り重ねられ、さらに長手方向に蛇腹折りされて折り畳まれてなることを特徴とする。
【０００９】
この場合も、嵩が低くて梱包が容易であって、運搬等の取り扱いも容易であり、かつ積み重ね状態でのデッドスペースを大幅に減少できる上、栽培用ハウス等での展張作業においては、前記の蛇腹状に折り畳まれた遮光ネットを、その一端部から、前記各折り部が表裏一方側で谷折りされることで同じ側に折り畳まれている幅方向の両側部分を把持して引き延ばしながら、該両側部分を広げるようにして容易に展開させることができ、展張作業も容易に行える。
【００１０】
前記の遮光ネットの折り畳み体において、前記遮光ネットが、幅方向の中央部と両側端から１／４幅の個所をいずれも表裏一方側において谷折りする折り部にして両側部分が観音折りされ、さらに蛇腹折りされて折り畳まれてなるものが好ましい。この場合、蛇腹状の折り畳み体の一端部から引き延ばしながら、同時に、観音折りされて同じ側に折り畳まれている幅方向の両側部分を広げるようにして容易に展開させることができ、展張作業を容易に行える。
【００１１】
また、前記の遮光ネットの折り畳み体において、前記遮光ネットが、幅方向の両側端から１／３幅の個所をいずれも表裏一方側において谷折りする折り部にして、両側部分が巻三つ折りされ、さらに蛇腹折りされて折り畳まれてなるものとすることもできる。この場合も、前記同様に、蛇腹状の折り畳み体の一端部から引き延ばしながら、同時に、巻三つ折りされて同じ側に折り畳まれている幅方向の両側部分を容易に広げることができ、展張作業を容易に行える。
【００１２】
前記において、経編編成された遮光ネットであって、遮光性のテープ状糸が鎖編列に対し横振り挿入されて編み込まれてなるものとすることができる。
【考案の効果】
【００１３】
本考案の遮光ネットの折り畳み体によれば、従来のロール巻の遮光ネットに比べて嵩が低く、コンパクトであり、梱包が容易である上、運搬等の取り扱いも容易である。特に、自家用の軽トラックや乗用車に積み込んで運搬することも可能になる。また、ロール巻に比して、積み重ね状態でのデッドスペースを大幅に減少できるため、積載効率の向上、販売店での在庫スペースの低減、スペースの有効利用を図ることができる。
【００１４】
しかも、展張作業の際は、蛇腹状に折り畳まれた遮光ネットを、その一端部から引き延ばしながら幅方向の両側部分を広げることにより容易に展張することができる。特に、請求項２の場合は、記の蛇腹状に折り畳まれた遮光ネットを、その一端部から引き延ばしながら、同じ側に折り畳まれている幅方向の両側部分を容易に展開でき、展張作業を容易に行える。
【００１５】
さらに、請求項３のように、両側部が観音折りされたのものを蛇腹折りして折り畳んだもの、あるいは請求項４のように、両側部が巻三つ折りされたものを蛇腹折りして折り畳んだものは、蛇腹状の折り畳み体の一端部から引き延ばしながら、同時に、観音折りあるいは巻三つ折りされて同じ側に折り畳まれている幅方向の両側部分を容易に展開でき、以て折り畳まれたものであっても、展張作業を容易に行え、作業性を向上できる。
【００１６】
また、経編編成による遮光ネットであっても、前記の折り畳みにより、取り扱い易く、輸送や保管等の際の積み重ねが容易で、かつ展張作業も容易なものになる。
【考案を実施するための最良の形態】
【００１７】
次に本考案の実施の形態を図面に示す実施例に基づいて説明する。
【００１８】
図１は遮光ネットの折り畳み前の斜視図である。図１において、１は本考案の折り畳み対象の編織物による遮光ネットであり、図示する実施例の場合は、経編編成された所謂ラッセル編の遮光ネットであって、合成樹脂製の遮光性のテープ状糸（フラットヤーン）３がモノフィラメント糸よりなる鎖編列４に対し横振り挿入されて編み込まれてなる。この遮光ネット１のサイズは、幅２ｍ、長さ５０ｍのもの等、幅が１〜４ｍ、長さが２０〜８０ｍの範囲のものが一般的であるが、もちろん、用途や規格によっては前記範囲以外の幅寸法や長さ寸法による実施が可能である。例えば、幅は最大８ｍ、長さは１００ｍあるいはそれ以上の場合も考えられる。また、前記遮光ネット１の遮光率については、編密度等により容易に設定でき、例えば遮光率５０％、６５％、７５％、８５％等に適宜に設定できる。
【００１９】
なお、本考案は前記の経編編成によるネットに限らず、例えばテープ状糸を用いて製織した遮光ネット、あるいはモノフィラメント糸のみの編織物よりなる遮光ネット等、他の編織物よりなる遮光ネットにも適用できる。
【００２０】
図２は前記遮光ネット１の折り畳み体１０の斜視図、図３は同上の折り畳み体１０を梱包した状態の斜視図、図４（ａ）（ｂ）（ｃ）はそれぞれ折り畳み手順を説明するための略示斜視図である。
【００２１】
前記の折り畳み体１０は、基本的に、前記の遮光ネット１が、ネット幅方向の複数個所を長手方向に延び、かつ表裏一方側（同じ側）で谷折りする折り部にして、所要幅の両側部分が長手方向に沿って折り重ねられ、さらに長手方向に所定の寸法毎にジグザグ状をなすように所謂蛇腹折りされてなる。
【００２２】
図示する実施例の場合は、図４（ａ）〜（ｃ）のように、前記遮光ネット１が、幅方向中央部と両側端から１／４幅の個所をいずれも表裏一方側（同じ側）において谷折りする折り部１１ａと１１ｂ，１１ｂにして、まず、前記１／４幅の個所の折り部１１ｂ，１１ｂで１／４幅の部分１ａ，１ｂが内側に折り返され〔図４（ａ）〕、次いで前記中央部の折り部１１ａで前記１／４幅の部分１ａ，１ｂを内側にして折り重ねられ〔図４（ｂ）〕、すなわち両側部分が観音折りされた後、全体が長手方向の所定の長さ寸法毎に交互にジグザグ状に折り重ねるようにして蛇腹折りされることにより〔図４（ｃ）〕、図２のように、例えば、縦横が１００×５０ｃｍの方形で、所定の厚み（数十ｃｍ）をなすようにコンパクトに折り畳まれている。
【００２３】
前記のようにして折り畳まれた遮光ネット１の折り畳み体１０は、必要に応じて、図３のように、全体を透明な合成樹脂製フイルム等の包装材１３により包装し、テープやロープ等の紐状物１４により梱包する。この際、全体が嵩低く折り畳まれているため、容易に梱包できる。
【００２４】
そして、前記のように折り畳んで梱包した状態で、輸送、保管するが、この際、前記折り畳み体１０は、従来のロール巻きされているものに比べて、同幅で同長さのものであっても、かなりコンパクトになって、持ち運び等の取り扱いが容易になり、自家用の軽トラックや乗用車に積み込んで運搬するのも容易に可能になる。また、前記の方形の折り畳み体１０のために、積み重ね状態でのデッドスペースを大幅に減少でき、輸送時の積載効率、保管時の保管効率を高め、また販売店等の在庫スペースを大幅に低減でき、ひいてはスペースの有効利用を図ることができる。
【００２５】
農作物の栽培用ハウス等におて展張使用する場合は、図５のように、例えば直に地面に置いた状態で、蛇腹状に折り畳まれた遮光ネット１を、その一端部から引き出し延ばしながら、同時に、前記各折り部１１ａ及び１１ｂ，１１ｂが表裏一方側で谷折りされることで同じ側に折り畳まれ観音折りされている前記１／４幅の部分１ａ，１ｂを含む両側部分を広げるようにすることにより容易に展開させることができる。これにより、使用上の展張作業も容易に行える。
【００２６】
図６及び図７は、本考案の遮光ネット１の折り畳み体１０の他の実施例を示している。この実施例においては、前記遮光ネット１が、幅方向の両側端から１／３幅の個所をいずれも長手方向に延びかつ表裏一方側（同じ側）において谷折りする折り部１２ａ，１２ｂにして、両側部分２ａ，２ｂがそれぞれ内側に打ち合わせるように折り返されて〔図６（ａ）〕所謂巻三つ折り（巻折り状に三つ折りされること）され、その後、全体が長手方向の所定の長さ寸法毎に交互にジグザグ状に折り重ねるようにして蛇腹折りされて折り畳まれている〔図６（ｂ）〕。
【００２７】
この実施例の場合も、従来のロール巻きされているものに比べて、嵩が低くコンパクトであるため、運搬等の取り扱いが容易であり、また輸送、保管等の際の積み重ねも容易で、かつ積み重ね状態でのデッドスペースを大幅に減少でき、輸送時の積載効率、保管時の保管効率を高め、また販売店等の在庫スペースを大幅に低減できる。
【００２８】
そして、展張作業においては、図７のように、蛇腹状に折り畳まれた遮光ネット１を、その一端部から引き出し延ばしながら、同時に、前記各折り部１２ａ及び１２ｂが表裏一方側で谷折りされることで同じ側に折り畳まれて巻三つ折りされている幅方向の両側部分２ａ，２ｂを広げることにより容易に展開させることができる。これにより、使用上の展張作業も容易に行える。
【００２９】
なお、本考案は、遮光ネット１の幅方向複数個所を長手方向に延びる折り部にして両側部を長手方向に沿って折り重ね、これをさらに長手方向に所定の寸法毎にジグザグ状をなすように蛇腹折りして折り畳むものであれば、上記した実施例以外の折り方による実施も可能であるが、幅方向複数個所を長手方向に延びる折り部については、図示するように表裏一方側で谷折りするものが、折り畳み状態からの引き延ばし展開作業の容易性の点から特に好ましい。
【産業上の利用可能性】
【００３０】
本考案は、主としてハウス栽培等の農業用に使用される編織物よりなる遮光ネットに好適に利用できる。
【図面の簡単な説明】
【００３１】
【図１】遮光ネットの折り畳み前の斜視図である。
【図２】前記遮光ネットの折り畳み体図である。
【図３】同上の折り畳み体を梱包した状態の斜視図である。
【図４】（ａ）（ｂ）（ｃ）のそれぞれ折り畳み手順を説明するための略示斜視図である。
【図５】折り畳まれた遮光ネットの展開状態の斜視説明図である。
【図６】（ａ）（ｂ）のそれぞれ他の折り畳み形式の折り畳み手順を説明するための略示斜視図である。
【図７】同上の折り畳まれた遮光ネットの展開状態の斜視説明図である。
【符号の説明】
【００３２】
１…遮光ネット、１ａ，１ｂ…１／４幅の部分、２ａ，２ｂ…両側部分、３…テープ状糸、４…鎖編列、１０…折り畳み体、１１ａ；１１ｂ，１１ｂ…折り部、１２ａ，１２ｂ…折り部。
【図１】
0003124309.tif 000003
【図２】
0003124309.tif 000004
【図３】
0003124309.tif 000005
【図４】
0003124309.tif 000006
【図５】
0003124309.tif 000007
【図６】
0003124309.tif 000008
【図７】
0003124309.tif 000009